(57)【要約】【課題】排水処理装置につき、マンホールを塞ぐ蓋部材を保持する蓋部材用保持装置の合理的な構成技術、およびその関連技術を提供する。【解決手段】排水の処理を行う排水処理装置につき、処理装置本体の上方へ突出し上面１０７ａにマンホール１０８を有する首部１０７と、マンホール１０８を塞ぐマンホール蓋１０９との間に、当該マンホール蓋１０９を保持するマンホール枠１１０を介在させる。このマンホール枠１１０は、首部１０７に被着される枠形状の枠状部１１２を有し、この枠状部１１２を構成するスカート部１１３の内径が当該スカート部１１３の下方側へ向けて徐々に拡張された構成を備える。【選択図】      図２
2004330002.tif 000002
【特許請求の範囲】
【請求項１】
排水の処理を行う排水処理装置につき、処理装置本体の上方へ突出し上面にマンホールを有する突出部と、前記マンホールを塞ぐ蓋部材との間に介在し、当該蓋部材を保持するマンホールの蓋部材用保持装置であって、
前記突出部に被着される枠形状の枠状部を有し、前記枠状部の内径が当該枠状部の下方側へ向けて徐々に拡張された構成であることを特徴とする、マンホールの蓋部材用保持装置。
【請求項２】
請求項１に記載のマンホールの蓋部材用保持装置であって、前記枠状部は、当該枠状部を前記突出部に被着した際に前記突出部の上下方向へ延びる長孔を備え、当該枠状部を突出部側に固定する固定手段が前記長孔内の任意の位置に設定可能であることを特徴とする、マンホールの蓋部材用保持装置。
【請求項３】
処理装置本体の上方へ突出する突出部と、前記突出部の上面に形成されたマンホールと、前記マンホールを塞ぐ蓋部材と、前記突出部と前記蓋部材との間に介在し当該蓋部材を保持する保持装置とを備え、前記処理装置本体内で排水の処理を行う排水処理装置であって、
前記保持装置は、前記突出部に被着される枠形状の枠状部を有し、当該枠状部の内径が当該枠状部の下方側へ向けて徐々に拡張された構成であることを特徴とする、排水処理装置。
【請求項４】
請求項３に記載の排水処理装置であって、
前記突出部はその平面視が円形に形成され、当該突出部に前記枠状部が取り付けられる構成であることを特徴とする、排水処理装置。
【請求項５】
請求項３または４に記載の排水処理装置であって、
前記枠状部は、前記突出部の上下方向へ延びる長孔を備え、当該枠状部を突出部側に固定する固定手段が前記長孔内の任意の位置に設定可能であることを特徴とする、排水処理装置。
【発明の詳細な説明】
【０００１】
【発明の属する技術分野】
本発明は、排水の処理を行う排水処理装置に係り、詳しくは処理装置本体にマンホールを備えた排水処理装置の構築技術に関する。
【０００２】
【従来の技術】
従来、例えば一般家庭等から排出される排水や、産業廃水等の処理を行う排水処理装置につき、マンホールを有する処理槽本体の首部とマンホール蓋との間において当該マンホール蓋を保持するマンホール枠が装着された構成のものが知られている（例えば、特許文献１参照。）。
ところで、マンホール蓋の上面が傾斜地となる場所に処理槽本体を埋設する場合には、処理槽本体の水平は維持しつつ、処理槽本体に対しマンホール枠およびマンホール蓋を傾斜させて設置する必要がある。このような場合に上記構成のマンホール枠を用いる際には、例えば、処理槽本体の首部とマンホール枠との間に別途嵩上げ部材を介在させ、その嵩上げ部材を傾斜地の勾配にあわせて現場で傾斜状にカットする方法が用いられる。しかしながら、このような方法は、常に嵩上げ部材を必要とするうえに、嵩上げ部材を傾斜地の勾配に合わせて現場でカットするのに熟練を要し、また嵩上げ部材の加工によって端材が発生する等の問題を抱えている。
【０００３】
【特許文献１】
特開平９−５７２４２号公報
【０００４】
【発明が解決しようとする課題】
そこで、本発明はかかる点に鑑みてなされたものであり、排水処理装置につき、マンホールを塞ぐ蓋部材を保持する蓋部材用保持装置の合理的な構成技術、およびその関連技術を提供することを課題とする。
【０００５】
【課題を解決するための手段】
上記課題を達成するため、各請求項記載の発明が構成される。これら各請求項に記載の発明は、一般家庭等から排出される排水や、産業廃水等の処理を行う排水処理装置につき、槽内の維持管理（保守点検、清掃、検査）用として使用される開口をはじめ、測定機器類や配管類の挿入口等に用いられる開口等、各種のマンホールを塞ぐ蓋部材を保持する蓋部材用保持装置の構成に広く適用し得る技術である。
【０００６】
（請求項１に記載の発明）
請求項１に記載の保持装置は、各種の排水の処理を行う排水処理装置に対応して設置される排水処理装置用のものであり、突出部と蓋部材との間に介在し当該蓋部材を保持するとともに、処理装置本体側に対する蓋部材の位置決めを行うものである。突出部は、処理装置本体の上方へ突出するとともにその上面にマンホールを有する。本発明でいう「突出部」は、処理装置本体自体を突出させて形成した部位のみならず、処理装置本体の上部に取り付けられる嵩上げ部材等によって構成される。また、本発明でいう「マンホール」とは、処理装置本体の突出部に設けられたマンホールを広く含む主旨であり、処理装置本体の首部に形成された維持管理（保守点検、清掃、検査）用の開口が典型的な例である。本発明では、その他、測定機器類や配管類の挿入口等の開口も、本発明における「マンホール」の範疇に含まれるものとする。
【０００７】
特に、本発明の保持装置は、突出部に被着される枠形状の枠状部を有する。すなわち、枠状部の内径が突出部の外径に対応した構成になっている。この枠状部は、典型的には円形状の枠によって構成されるが、その他、四角状の枠によって構成されてもよい。また、本発明ではこの枠状部の内径がこの枠状部の下方側へ向けて徐々に拡張された構成になっている。このような構成は、処理槽本体の上方へ突出する突出部に対して向かい合う方向（下方）へ延びる枠状部を、テーパー状（傾斜状）に拡張させた末広がりの形状とすることによって実現できる。
【０００８】
請求項１に記載のこのような構成によれば、突出部に保持装置を取り付ける際に、突出部に対する保持装置の傾斜状態を簡便に変更することが可能となる。これにより、例えば、蓋部材の上面が傾斜地となる場所に処理装置本体を埋設する場合に、突出部に対する保持装置の傾斜状態を変更するのみで対応することができる。従って、従来のように、処理装置本体側と保持装置との間に設置する嵩上げ部材を、傾斜地の勾配に合わせて現場で傾斜状にカットする等の必要がなく合理的である。また、嵩上げ部材のカットによる端材等の発生がない。
【０００９】
なお、本発明では、「（蓋部材用）保持装置」を１または複数の部材によって構成することができる。例えば、枠状部を有する１の部材自体が保持装置であってもよいし、あるいは枠状部を有する１の部材と、当該１の部材とは別の部材とを組み合わせて保持装置を構成してもよい。具体的には、マンホール用の蓋部材を保持するマンホール枠に、本発明のような構成の「枠状部」を設ける場合や、マンホール枠を含み蓋部材と突出部との間に介在する各種の部材のうち処理装置本体側の突出部に被着される部材に、本発明のような構成の「枠状部」を設ける場合などがある。
【００１０】
（請求項２に記載の発明）
請求項２に記載の保持装置では、枠状部が長孔を有する。この長孔は、当該枠状部を突出部に被着した際に突出部の上下方向へ延びるような構成になっている。この長孔内に挿入される固定手段、典型的にはタッピングビスやボルトナット等によって枠状部が突出部側に固定される構成であり、この固定手段が長孔内の任意の位置に設定可能になっている。このような構成によれば、突出部に対して保持装置を水平状態に取り付ける場合のみならず、突出部に対して保持装置を傾斜させて取り付ける場合であっても、長孔内における固定手段の位置をずらすのみで簡便に保持装置を突出部側に固定することが可能となる。なお、長孔が延在する方向は上下方向であればよく、典型的には垂直方向と合致する方向をいうが、垂直方向と交差するような方向であっても実質的に上下の方向に延びる成分を有する構成であれば、本発明でいう「上下方向へ延びる長孔」の範疇に含まれるものとする。
【００１１】
（請求項３に記載の発明）
請求項３に記載の発明は、請求項１に記載の構成の保持装置を備えた排水処理装置として規定される。このような構成の排水処理装置によれば、処理装置本体の突出部に保持装置を取り付ける際に、突出部に対する保持装置の傾斜状態を簡便に変更することが可能となり、例えば、蓋部材の上面が傾斜地となる場所に処理装置本体を埋設する場合に、突出部に対する保持装置の傾斜状態を変更するのみで対応することができ合理的である。
【００１２】
（請求項４に記載の発明）
ここで、請求項３に記載の排水処理装置は、請求項４に記載のように、平面視が円形に形成された突出部に枠状部が取り付けられる構成であるのが好ましい。すなわち、保持部材が取り付けられる側である突出部が平面視で円形になっている。このような構成によれば、突出部に対する保持装置の傾斜状態を自在に変更することが可能となる。すなわち、突出部を平面視で円形とすることで、保持装置を突出部に対し種々の方向に傾斜させることができる。また、保持装置が突出部に被着された状態において当該保持装置は突出部に対して回転自在であるため、突出部に対する保持装置の取り付け位置を自由に決めることが可能となる。
【００１３】
（請求項５に記載の発明）
請求項５に記載の排水処理装置では、枠状部が突出部の上下方向へ延びる長孔を有する。このような構成によれば、処理装置本体の突出部に対する保持装置の傾斜状態を変更する際、長孔内における固定手段の位置をずらすのみで簡便に保持装置を突出部側に固定することが可能となる。
【００１４】
【発明の実施の形態】
以下に、本発明における一実施の形態の排水処理槽の構成を図１〜図４に基づいて説明する。ここで、図１は本発明における一実施の形態の排水処理槽１００の側面図である。図２は図１中のマンホール枠１１０の構成を示す斜視図である。図３は図１中の部分断面図であって、首部１０７に対しマンホール枠１１０を水平状態に取り付けた場合を示す。図４は、図１中の部分断面図であって、首部１０７に対しマンホール枠１１０を傾斜状態に取り付けた場合を示す。
【００１５】
図１に示すように、本実施の形態の排水処理装置１００は、いずれも槽状に形成された上部槽１０２および下部槽１０３によって構成される処理槽本体１０１（処理装置本体）を有する。この処理槽本体１０１の内部には、特に図示しないものの、例えば、排水中に含まれる大きな固形物や油脂等の固液分離を行う夾雑物除去槽、処理水中の有機性汚濁物質を嫌気性微生物の働きによって嫌気分解する嫌気濾床槽、処理水中の有機性汚濁物質を好気性微生物の働きによって好気分解する好気濾床槽、処理水を一時的に貯留する処理水槽、放流する前の処理水の消毒を行う消毒槽等が搭載される。処理槽本体１０１は、上部槽１０２および下部槽１０３をフランジ部１０４において互いに重ね合わせて接合することで組立てられる。この処理槽本体１０１は、例えばＦＲＰ（ガラス繊維樹脂）材料をいわゆるスプレーアップ成形すること等によって作製される。
【００１６】
上部槽１０２には、例えば一般家庭から排出された家庭用排水を処理槽本体１０１（本発明における「処理槽本体」）内へ受入れるための流入管１０５、槽内で浄化処理された処理水を処理槽本体１０１から放流するための放流管１０６が設けられている。また、上部槽１０２において平面視が円形に形成された首部１０７には、マンホール蓋１０９を保持するマンホール枠１１０が取り付け固定される。この首部１０７が本発明における「突出部」に対応しており、マンホール枠１１０自体が本発明における「マンホールの蓋部材用保持装置」ないし「保持装置」に対応している。
【００１７】
図２に示すように、上部槽１０２の首部１０７の上面１０７ａには円形状のマンホール１０８（本発明における「マンホール」）が設けられており、このマンホール１０８を塞ぐマンホール蓋１０９は、マンホール枠１１０を介して上部槽１０２側に取付けられる。マンホール１０８は、例えば槽内の維持管理（保守点検、清掃、検査）用として使用される。
【００１８】
図２および図３に示すように、マンホール枠１１０は、マンホール１０８を有する首部１０７とマンホール蓋１０９との間に介在し、このマンホール蓋１０９を保持する構成になっている。マンホール枠１１０には、マンホール１０８に嵌り込む第１壁部１１６、マンホール蓋１０９が嵌り込む第２壁部１１８が形成されている。これにより、首部１０７に対してマンホール枠１１０の位置決めがなされるとともに、このマンホール枠１１０によってマンホール蓋１０９が保持されることとなる。このマンホール蓋１０９が発明における「蓋部材」に対応している。
【００１９】
また、このマンホール枠１１０は、首部１０７に被さる（被着される）枠形状の枠状部１１２（本発明における「枠状部」）を有する。この枠状部１１２は、周方向に連続的に形成された肉薄のスカート部１１３と、枠状部１１２を首部１０７に取り付け固定する固定座１１４とを有する。この固定座１１４は、例えばスカート部１１３よりも肉厚に形成される。
【００２０】
スカート部１１３は、その内径ｄが首部１０７の外径に対応しており、その内面の形状が首部１０７の外面の形状に対応した構成になっている。また、このスカート部１１３は、上部槽１０２の上方へ突出する首部１０７に対して向かい合う方向（下方）へ延在し、テーパー状（傾斜状）に拡張された末広がりの形状になっており、その内径が下方側（図３中の下側）へ向けて徐々に拡張された構成になっている。スカート部１１３のこのような構成が、請求項１および請求項３に記載の構成に対応している。これにより、首部１０７に枠状部１１２を被せることによって、スカート部１１３の内周面が首部１０７の外周面に被着され、マンホール枠１１０が首部１０７に取り付けられる。
【００２１】
固定座１１４は、スカート部１１３の外周面において当該スカート部１１３が延在する方向に沿って設けられており、側面視で当該スカート部１１３の下端よりも下方側へ突出するように長手状に延在する。本実施の形態では、この固定座１１４がスカート部１１３の外周面の４箇所に設けられている。固定座１１４には、その長手方向（首部１０７の上下方向）へ延びる長孔１１４ａが形成され、また長孔１１４ａの下方側（図３中の下側）に孔１１４ｂが形成されている。
【００２２】
固定座１１４の長孔１１４ａには、例えばボルトナット等によって構成される第１の固定手段１２０が挿入され、固定座１１４の孔１１４ｂには、例えばタッピングビス等によって構成される第２の固定手段１２１が挿入されるようになっている。なお、本実施の形態では、第１の固定手段１２０が長孔１１４ａ内の任意の位置に設定可能になっている。後述するように、これら第１の固定手段１２０および第２の固定手段１２１を用いることによって、マンホール枠１１０が首部１０７に取付け固定されるようになっている。例えば、図３に示すように、マンホール枠１１０は、マンホール蓋１０９が首部１０７に対して水平状態となるように首部１０７に取付け固定される。
【００２３】
このような構成のマンホール枠１１０は、図３に示すように首部１０７に対し水平状態のみならず、例えば図４に示すように傾斜状態（傾斜角度θ）に取付け固定することが可能となる。ここで、首部１０７に対するマンホール枠１１０の取付け態様を、図３に示す状態から図４に示す状態へと変更する場合について説明する。
まず、長孔１１４ａ内に挿入している第１の固定手段１２０によってマンホール枠１１０を首部１０７に一時的に仮固定する。この仮固定の状態で、ハンマー等によってマンホール枠１１０をたたいて首部１０７に対するマンホール枠１１０の傾斜角度を微調整する。これにより、マンホール枠１１０の端部（図４中ではマンホール枠１１０の左側）は、図３に示す状態から首部１０７の上方へスライドし、マンホール枠１１０が首部１０７に対し所定の方向に傾斜することとなる。マンホール枠１１０の取付け位置が確定したら、最後に孔１１４ｂに第２の固定手段１２１を挿入することでマンホール枠１１０を首部１０７に本固定（最終的に固定）する。而して、マンホール枠１１０は、図４に示すようにマンホール蓋１０９が首部１０７に対して傾斜状態となるように取付け固定される。
【００２４】
次に、上記構成の排水処理装置１００の設置態様の一例を、図３および図４に加え、図５および図６を参照しつつ説明する。ここで、図５は排水処理装置１００の水平設置時の状態を示す側面図であり、図６は排水処理装置１００の傾斜設置時の状態を示す側面図である。なお、図５および図６に示す実施の形態では、地中に施工したベースコンクリートＣ１上に排水処理装置１００を載置し、当該排水処理装置１００を埋設したのち、当該排水処理装置１００の上面に沿ってスラブコンクリートＣ２を施工する場合について示している。
【００２５】
図５に示すように、水平地に排水処理装置１００を設置する場合は、ベースコンクリートＣ１とスラブコンクリートＣ２がほぼ水平な状態となる。この場合、図３に示すように、マンホール蓋１０９が首部１０７に対して水平状態となるようにマンホール枠１１０を首部１０７に取付け固定する。
一方、図６に示すように傾斜地に沿わせて排水処理装置１００を設置する場合は、ベースコンクリートＣ１とスラブコンクリートＣ２が傾斜した状態（例えば、スラブ勾配θ＝１〜３％）となる。この場合、図４に示すように、処理槽本体１０１（排水処理装置１００）の水平は維持しつつ、マンホール枠１１０を首部１０７に対して傾斜させる。そして、マンホール蓋１０９が首部１０７に対してスラブ勾配θに対応した傾斜状態となるようにマンホール枠１１０を首部１０７に取付け固定する。例えば、現場にてスラブ勾配θにあわせてマンホール枠１１０を首部１０７に対し傾斜させ、固定手段１２０によって首部１０７に仮固定する。マンホール枠１１０を適正なスラブ勾配θに傾斜させた状態で仮固定したら、最後に孔１１４ｂに第２の固定手段１２１を挿入し、この第２の固定手段１２１によってマンホール枠１１０を首部１０７に本固定する。
【００２６】
以上のように、本実施の形態によれば、マンホール枠１１０の枠状部１１２を首部１０７に対して傾斜可能な構成としたため、上部槽１０２の首部１０７にマンホール枠１１０を取り付ける際に、首部１０７に対するマンホール枠１１０の傾斜状態を簡便に変更することが可能となる。とりわけ、首部１０７を平面視で円形となるように構成したため、首部１０７に対するマンホール枠１１０の傾斜状態を自在に変更することが可能となる。すなわち、首部１０７を平面視で円形とすることで、マンホール枠１１０を首部１０７に対し種々の方向に傾斜させることができる。また、マンホール枠１１０が首部１０７に被着された状態において当該マンホール枠１１０は首部１０７に対して回転自在であるため、首部１０７に対するマンホール枠１１０の取り付け位置を自由に決めることができる。このような作用効果は、首部を平面視で円形としないような場合、例えば首部を平面視で正方形とするような場合には得ることが難しく、本実施の形態により得られる優れた利点である。これにより、例えば、排水処理装置１００を傾斜地に埋設する場合に、首部１０７に対するマンホール枠１１０の傾斜状態を変更するのみで対応することができる。従って、従来のように、首部１０７とマンホール枠１１０との間に別途嵩上げ部材を設置し、この嵩上げ部材を傾斜地の勾配に合わせて現場で傾斜状にカットする等の必要がなく合理的である。特に、嵩上げ部材による嵩上げ高さが数十ミリ程度の場合には施工者に高度な技術が必要とされるがこのような問題がない。また、嵩上げ部材のカットによる端材等の発生がない。
【００２７】
また、上記実施の形態によれば、マンホール枠１１０の固定座１１４に長孔１１４ａを設けることによって、第１の固定手段１２０が長孔１１４ａ内の任意の位置に設定可能となり、長孔１１４ａ内における第１の固定手段１２０の位置をずらすのみで簡便にマンホール枠１１０を首部１０７に仮固定することが可能となる。なお、上記実施の形態では、第１の固定手段１２０を用いてマンホール枠１１０を首部１０７に仮固定し、第２の固定手段１２１を用いてマンホール枠１１０を首部１０７に本固定する場合について記載したが、第１の固定手段１２０および第２の固定手段１２１の少なくとも一方によってマンホール枠１１０を首部１０７に固定する構成とすることができる。
【００２８】
〔他の実施の形態〕
なお、本発明は上記の実施の形態のみに限定されるものではなく、種々の応用や変形が考えられる。例えば、上記実施の形態を応用した次の各形態を実施することもできる。
【００２９】
上記実施の形態では、上部槽１０２の首部１０７とマンホール蓋１０９との間にマンホール枠１１０のみが介在する場合について記載したが、首部１０７とマンホール蓋１０９との間に、マンホール枠１１０に加え更に別の部材を設けることもできる。例えば、排水処理装置１００を深埋め施工する場合には、首部１０７とマンホール蓋１０９との間に、更に嵩上げ用の嵩上げ部材を介在させる。ここで、嵩上げ部材を用いる場合の実施の形態を図７および図８を参照しながら説明する。図７および図８は、いずれも首部１０７とマンホール蓋１０９との間に、マンホール枠１１０に加え更に別の部材を介在させる実施の形態を示す図である。なお、これらの図において図１〜図６に示す要素と同一の構成要素には同一の符号を付すものとし、当該同一の構成要素の詳細な説明は省略する。
【００３０】
図７に示す実施の形態では、首部１０７とマンホール蓋１０９との間に、マンホール枠１１０に加え、更に枠部材１３０および嵩上げ部材１３２を介在させている。枠部材１３０は、例えば枠状に形成され、嵩上げ部材１３２を首部１０７に保持する機能を有する。嵩上げ部材１３２は、例えば円筒状に形成され、首部１０７の嵩上げを行うとともに、マンホール枠１１０を枠部材１３０（首部１０７側の部材）に保持する機能を有する。本実施の形態では、マンホール枠１１０が嵩上げ部材１３２の上部に取付け固定される。この実施の形態では、嵩上げ部材１３２、あるいは首部１０７に加え、枠部材１３０および嵩上げ部材１３２の３つの部材によって本発明における「突出部」が構成されており、またマンホール枠１１０自体が、本発明における「マンホールの蓋部材用保持装置」ないし「保持装置」に対応している。
【００３１】
図８に示す実施の形態では、首部１０７とマンホール蓋１０９との間に、マンホール枠１１０に加え、更に枠部材１４０および嵩上げ部材１４２を介在させている。枠部材１４０は、例えば枠状に形成され、マンホール蓋１０９を嵩上げ部材１４２に保持する機能を有する。嵩上げ部材１４２は、例えば円筒状に形成され、首部１０７の嵩上げを行うとともに、枠部材１４０をマンホール枠１１０（首部１０７側の部材）に保持する機能を有する。本実施の形態では、首部１０７に取付け固定されたマンホール枠１１０の上部に嵩上げ部材１４２が保持される。この実施の形態では、マンホール枠１１０に加え、枠部材１４０および嵩上げ部材１４２の３つの部材が、首部１０７とマンホール蓋１０９との間に介在する構成になっており、これら３つの部材によって、本発明における「マンホールの蓋部材用保持装置」ないし「保持装置」が構成されている。
図７および図８に示す実施の形態によれば、現場で嵩上げ部材１３２を傾斜状にカットすることなく、首部１０７に対するマンホール枠１１０の傾斜状態を自在に変更することが可能となる。
【００３２】
また、上記実施の形態では、スカート部１１３および固定座１１４によって枠状部１１２を構成する場合について記載したが、スカート部１１３に固定座１１４の機能を付しスカート部１１３自体によって枠状部１１２を構成することもできる。例えば、スカート部１１３に厚みを固定座１１４の厚みと同様とし、スカート部１１３自体に長孔１１４ａおよび孔１１４ｂと同様の孔を設ける。また、本実施の形態のように周方向に連続した形状のスカート部１１３以外に、周方向に断続的に形成されたスカート部を用い、このスカート部に長孔１１４ａおよび孔１１４ｂと同様の孔を設ける構成としてもよい。換言すれば、固定座１１４と同様の形状のスカート部のみによって枠状部を構成することもできる。このような構成によっても、上記実施の形態の枠状部１１２を用いる場合と同様の作用効果を奏する。
【００３３】
また、上記実施の形態では、例えば維持管理（保守点検、清掃、検査）用のマンホール１０８に対応して設置されるマンホール枠１１０（保持装置）について記載したが、その他のマンホール、例えば測定機器類や配管類の挿入口等に用いられる開口に対応して設置される保持装置の構成に本発明を適用することもできる。
【００３４】
なお、以上説明してきた実施の形態や種々の変更例の記載に基づいた場合、本発明では以下の構成を採り得る。
すなわち、本発明では、「排水の処理を行う排水処理装置につき、処理装置本体の上方へ突出しマンホールを有する突出部と、前記マンホールを塞ぐ蓋部材との間に介在し、当該蓋部材を保持するマンホールの蓋部材用保持装置であって、前記突出部に被着される枠形状の枠状部を有し、当該枠状部は前記突出部に対し傾斜可能に取り付けられる構成であることを特徴とする、マンホールの蓋部材用保持装置。」という構成（第１の態様）や、「処理装置本体の上方へ突出する突出部と、前記突出部の上面に形成されたマンホールと、前記マンホールを塞ぐ蓋部材と、前記突出部と前記蓋部材との間に介在し当該蓋部材を保持する保持装置とを備え、前記処理装置本体内で排水の処理を行う排水処理装置であって、前記保持装置は、前記突出部に被着される枠形状の枠状部を有し、当該枠状部の内径が当該枠状部の下方側へ向けて徐々に拡張された構成であることを特徴とする排水処理装置。」という構成（第２の態様）が考えられる。すなわち、本発明は、（マンホールの蓋部材用）保持装置が、当該保持装置を突出部に対し傾斜させて取付け可能な構成を備えていれば足りる。
このような第１の態様や第２の態様によれば、保持装置を突出部に対し任意の傾斜角度に設定することを可能とする構成により、請求項１や請求項３に記載の発明と同様に、突出部に保持装置を取り付ける際に、突出部に対する保持装置の傾斜状態を簡便に変更することが可能となる。
【００３５】
【発明の効果】
以上説明したように、本発明によれば、排水処理装置につき、マンホールを塞ぐ蓋部材を保持する蓋部材用保持装置の合理的な構成技術、およびその関連技術を実現できることとなった。
【図面の簡単な説明】
【図１】本発明における一実施の形態の排水処理槽１００の側面図である。
【図２】図１中のマンホール枠１１０の構成を示す斜視図である。
【図３】図１中の部分断面図であって、首部１０７に対しマンホール枠１１０を水平状態に取り付けた場合を示す。
【図４】図１中の部分断面図であって、首部１０７に対しマンホール枠１１０を傾斜状態に取り付けた場合を示す。
【図５】排水処理装置１００の水平設置時の状態を示す側面図である。
【図６】排水処理装置１００の傾斜設置時の状態を示す側面図である。
【図７】首部１０７とマンホール蓋１０９との間に、マンホール枠１１０に加え更に別の部材を介在させる実施の形態を示す図である。
【図８】首部１０７とマンホール蓋１０９との間に、マンホール枠１１０に加え更に別の部材を介在させる実施の形態を示す図である。
【符号の説明】
１００…排水処理装置
１０１…処理槽本体（処置装置本体）
１０２…上部槽
１０３…下部槽
１０７…首部
１０７ａ…上面
１０８…マンホール
１０９…マンホール蓋（蓋部材）
１１０…マンホール枠（保持装置）
１１２…枠状部
１１３…スカート部
１１４…固定座
１１４ａ…長孔
１１４ｂ…孔
１１６…第１壁部
１１８…第２壁部
１２０…第１の固定手段
１２１…第２の固定手段
１３０，１４０…枠部材
１３２，１４２…嵩上げ部材
Ｃ１…ベースコンクリート
Ｃ２…スラブコンクリート
θ…スラブ勾配
【図１】
2004330002.tif 000003
【図２】
2004330002.tif 000004
【図３】
2004330002.tif 000005
【図４】
2004330002.tif 000006
【図５】
2004330002.tif 000007
【図６】
2004330002.tif 000008
【図７】
2004330002.tif 000009
【図８】
2004330002.tif 000010